(57)【特許請求の範囲】
【請求項１】
フェース面に複数のスコアラインと複数の略直線状の細溝が形成されたゴルフクラブヘッドであって、前記細溝により連続模様が形成され、前記連続模様を構成する単位はそれぞれ独立した領域からなり、それぞれの前記領域の全面に前記細溝が形成され、前記領域の外縁に輪郭線が形成されておらず、前記連続模様を構成する単位は丸形、三角形、六角形のいずれかであり、前記細溝は前記スコアライン内に入り込んで形成されていることを特徴とするゴルフクラブヘッド。
【請求項２】
すべての前記単位において前記細溝の向きを同じにしたことを特徴する請求項１記載のゴルフクラブヘッド。
【請求項３】
一部の前記単位において前記細溝の向きを他の前記単位とは異ならせたことを特徴とする請求項１記載のゴルフクラブヘッド。
【発明の詳細な説明】
【技術分野】
【０００１】
本発明は、ゴルフクラブヘッドに関する。
【背景技術】
【０００２】
ゴルフにおけるバックスピンの量は、打球の結果を左右する大きな要素であり、特にショートアイアンやウェッジなどは、狙う領域が狭くなるため、スピン量を多くすることが望ましい。このような目的で、フェース面にスコアラインとは別に、細溝を多数設けることが知られている（特許文献１）。細溝の加工方法としては、切削、プレス、レーザーなどが知られている。
【０００３】
ところで、このスピン量の性能をさらに改善する目的で、本出願人は、フェース面に極細の溝を多数設けることを提案した（特許文献２）。これによれば、特に雨天時など濡れた状態でスピン量の低下を劇的に改善する効果がある。
【０００４】
また、これに加え、極細溝を一部間引くことで、意匠性を高めることを提案した（特許文献３）。しかし、ここで開示されているのは直線状のミリングだけであって、意匠性の向上はまだ改善の余地があった。また、溝の間引き、即ち加工していない個所を残すと、加工した箇所との段差が大きくなり、十分な表面粗さを得ることができないという課題があった。具体的には、算術平均粗さＲａが小さめ、最大断面高さＲｔが大きめになり、スピン性能を高めるためには、ルールの上限近くまでＲａを大きくすることが好ましい。なお、ルール上限値は、Ｒａ＝４．５μｍ以下、Ｒｔ＝２５μｍ以下である。
【先行技術文献】
【特許文献】
【０００５】
【特許文献１】特開２０１１−２３４７４８号公報
【特許文献２】特開２０１３−１６９４１３号公報
【特許文献３】特開２０１５−１０７２２７号公報
【発明の概要】
【発明が解決しようとする課題】
【０００６】
そこで、本発明では、意匠性を高め、スピン性能も十分に得られるゴルフクラブヘッドを提供することを目的とする。
【課題を解決するための手段】
【０００７】
本発明のゴルフクラブヘッドは、フェース面に複数のスコアラインと複数の略直線状の細溝が形成されたゴルフクラブヘッドであって、前記細溝により連続模様が形成され、前記連続模様を構成する単位はそれぞれ独立した領域からなり、それぞれの前記領域の全面に前記細溝が形成され、前記領域の外縁に輪郭線が形成されておらず、前記連続模様を構成する単位は丸形、三角形、六角形のいずれかであり、前記細溝は前記スコアライン内に入り込んで形成されていることを特徴とする。
【０００８】
また、すべての前記単位において前記細溝の向きを同じにしたことを特徴する。
【０００９】
また、一部の前記単位において前記細溝の向きを他の前記単位とは異ならせたことを特徴とする。
【発明の効果】
【００１０】
本発明のゴルフクラブヘッドによれば、フェース面に複数のスコアラインと複数の略直線状の細溝が形成されたゴルフクラブヘッドであって、前記細溝により連続模様が形成され、前記細溝は前記スコアライン内に入り込んで形成されているので、意匠性を高め、スピン性能も十分に得られる。
【００１１】
また、前記連続模様を構成する単位はそれぞれ独立した領域からなり、それぞれの前記領域の全面に前記細溝が形成されたので、細溝が形成された領域を大きくして、降雨時においても十分なスピン性能を得ることができる。
【００１２】
また、前記領域の外縁に輪郭線が形成されていないので、満足するスピン性能を得ることができる。
【００１３】
また、すべての前記単位において前記細溝の向きを同じにし、又は、一部の前記単位において前記細溝の向きを他の前記単位とは異ならせ、或いは、前記連続模様を構成する単位は丸形、三角形、六角形のいずれかであることにより、さらなる意匠性の向上を図ることができる。
【図面の簡単な説明】
【００１４】
【図１】実施例１のゴルフクラブヘッドの正面図である。
【図２】同上、左上部の部分拡大図である。
【図３】同上、図２の中央上下方向の端面図である。
【図４】同上、フェース面の平均粗さＲａを示すグラフである。
【図５】同上、フェース面の平均粗さＲｔを示すグラフである。
【図６】同上、バックスピン量を示すグラフである。
【図７】実施例２のゴルフクラブヘッドの正面図である。
【図８】実施例３のゴルフクラブヘッドの正面図である。
【図９】実施例４のゴルフクラブヘッドの正面図である。
【図１０】実施例５のゴルフクラブヘッドの正面図である。
【発明を実施するための形態】
【００１５】
以下、本発明のゴルフクラブヘッドの実施例について、添付した図面を参照しながら説明する。
【実施例１】
【００１６】
本実施例のゴルフクラブヘッドを示す図１〜３において、１はアイアン型のゴルフクラブヘッドであり、ゴルフクラブヘッド１のフェース面２には、複数のスコアライン３が相互に平行に形成されている。
【００１７】
フェース面２には、スコアライン３と直交する方向に複数の略直線状の細溝４が形成され、複数の細溝４により、複数の六角形の単位５が規則正しく略隙間なく整列した連続模様が形成されている。なお、単位５はそれぞれ独立した領域からなり、領域の全面に細溝４が形成されている。それぞれの単位５の領域において、細溝４は、溝幅、ピッチともに５０μｍとなっており、長さは、単位５の領域の形状に応じた長さになっている。また、この細溝４は、スコアライン３内に入り込んで形成されている。
【００１８】
また、それぞれの単位５の領域の外縁には輪郭線が形成されておらず、スコアライン３と直交する方向の細溝４のみによって六角形の単位５の形状が形成されている。なお、単位５の領域の外縁に輪郭線を形成すると、そこに深い溝ができてＲｔの数値が大きくなりやすく、反対にＲｔの数値を小さくしようとするとＲａも小さくなり、ルール上限値を守りながら満足するスピン性能を得ることができないので、好ましくない。
【００１９】
なお、本実施例において、すべての単位５において細溝４の向きが同じになっているが、一部の単位５において細溝４の向きを異ならせてもよい。一部の単位５において細溝４の向きを異ならせた場合には、細溝４の向きによって光の反射の方向が異なるため、例えば、細溝４の向きをスコアライン３と直交する方向とした単位５では単位５の形状が明るく表れ、細溝４の向きをスコアライン３と平行な方向とした一部の単位５では単位５の形状が暗く表れる。このように、使用者によって視認される明るさが一部の単位５において他の単位５とは異なることになり、細溝４の向きを異ならせた単位５を適宜配置することにより、フェース面２を美観に優れたものとすることが可能となる。
【００２０】
細溝４は、レーザー加工を含む工程により形成される。具体的には、まず、ゴルフクラブヘッド１の素地を研磨し、この素地上に第１のめっき層としてのニッケルめっき層を形成し、その後、ニッケルめっき層にレーザー加工により細溝４を施す。その上に第２のめっき層としてのクロムめっき層を形成する。なお、めっき層は１層であってもよい。
【００２１】
実際に作成した本実施例の連続模様を構成する六角形の単位の領域の全面にそれぞれ細溝を施したゴルフクラブヘッドについて、平均粗さＲａとＲｔを測定した。また、比較のために、細溝を施していない通常のゴルフクラブヘッドと、フェース面の全面に細溝を施したゴルフクラブヘッドについても測定した。なお、細溝は、幅が５０μｍ、ピッチが５０μｍ、深さが２０μｍになるように形成した。その結果を図４、図５に示す。
【００２２】
本実施例のゴルフクラブヘッドはＲａ＝３．０４、Ｒｔ＝２２．４４、フェース面の全面に細溝を施したゴルフクラブヘッドはＲａ＝２．８７、Ｒｔ＝１７．５５、細溝を施していないゴルフクラブヘッドはＲａ＝１．１２、Ｒｔ＝１４．０８となり、本実施例のゴルフクラブヘッドが、Ｒａ、Ｒｔともに最も高い数値を示した。
【００２３】
また、上記の平均粗さを測定したゴルフクラブヘッドについて、打撃時のボールのバックスピン量を評価した。なお、いずれのゴルフクラブヘッドも、ロフト角は５６°のウェッジであり、細溝に関する条件を除く条件は同一とし、フェース面が乾燥したドライ条件と、フェース面とボールを水で濡らしたウェット条件にて、スウィングロボットを用いて評価を行った。その結果を図６に示す。
【００２４】
フェース面が乾燥したドライ条件において、本実施例のゴルフクラブヘッドのバックスピン量は７７６１ｒｐｍ、フェース面の全面に細溝を施したゴルフクラブヘッドのバックスピン量は７７４２ｒｐｍ、細溝を施していないゴルフクラブヘッドのバックスピン量は７７３１ｒｐｍであり、バックスピン量にほとんど差が見られなかった。
【００２５】
一方、フェース面を水で濡らしたウェット条件において、本実施例のゴルフクラブヘッドのバックスピン量は７６０４ｒｐｍ、フェース面の全面に細溝を施したゴルフクラブヘッドのバックスピン量は７６０２ｒｐｍ、細溝を施していないゴルフクラブヘッドのバックスピン量は５７８１ｒｐｍであり、細溝を形成していないゴルフクラブヘッドにおいてバックスピン量がドライ条件の７５％に低下したのに対し、本実施例のゴルフクラブヘッドとフェース面の全面に細溝を施したゴルフクラブヘッドのバックスピン量はドライ条件の９８％に低下したに過ぎなかった。
【００２６】
したがって、本実施例のゴルフクラブヘッドによれば、降雨時のウェット条件、非降雨時のドライ条件の両方において、バックスピン量の変化を確実に抑制することができることが実証された。
【００２７】
以上のように、本実施例のゴルフクラブヘッドは、フェース面２に複数のスコアライン３と複数の略直線状の細溝４が形成されたゴルフクラブヘッド１であって、前記細溝４により連続模様が形成されたので、意匠性を高め、スピン性能も十分に得られる。
【００２８】
また、前記連続模様を構成する単位５はそれぞれ独立した領域からなり、それぞれの前記領域の全面に前記細溝４が形成されたので、細溝が形成された領域を大きくして、降雨時においても十分なスピン性能を得ることができる。
【００２９】
また、前記領域の外縁に輪郭線が形成されていないので、満足するスピン性能を得ることができる。
【００３０】
また、すべての前記単位５において前記細溝の向きを同じにし、前記連続模様を構成する単位５は六角形であることにより、さらなる意匠性の向上を図ることができる。
【実施例２】
【００３１】
本実施例のゴルフクラブヘッドは、図７に示すように、単位５の形状を丸形とし、隣り合うスコアライン３の間に単位５を配置したほかは、上記実施例１と同じである。
【００３２】
本実施例においても、高い意匠性と十分なスピン性能を兼ね備えることができる。
【実施例３】
【００３３】
本実施例のゴルフクラブヘッドは、図８に示すように、単位５の形状を丸形としたほかは、上記実施例１と同じである。
【００３４】
本実施例においても、高い意匠性と十分なスピン性能を兼ね備えることができる。
【実施例４】
【００３５】
本実施例のゴルフクラブヘッドは、図９に示すように、単位５の形状を四角形としたほかは、上記実施例１と同じである。
【００３６】
本実施例においても、高い意匠性と十分なスピン性能を兼ね備えることができる。
【実施例５】
【００３７】
本実施例のゴルフクラブヘッドは、図１０に示すように、単位５の形状を三角形としたほかは、上記実施例１と同じである。
【００３８】
本実施例においても、高い意匠性と十分なスピン性能を兼ね備えることができる。
【００３９】
なお、本発明は上記の実施形態に限定されるものではなく、種々の変形実施が可能である。本実施例はアイアンタイプのゴルフクラブヘッドで説明したが、ドライバーなどウッドタイプのゴルフクラブヘッドでも実施可能である。
【符号の説明】
【００４０】
１  ゴルフクラブヘッド
２  フェース面
３  スコアライン
４  細溝
５単位
【図１】
0006447453.tif 000002
【図２】
0006447453.tif 000003
【図３】
0006447453.tif 000004
【図４】
0006447453.tif 000005
【図５】
0006447453.tif 000006
【図６】
0006447453.tif 000007
【図７】
0006447453.tif 000008
【図８】
0006447453.tif 000009
【図９】
0006447453.tif 000010
【図１０】
0006447453.tif 000011